(57)【要約】【課題】ネットワーク上のコンテンツの検索と公開を容易にすることを目的とする。【解決手段】コンテンツの登録者の情報を入力して記録手段に登録し、使用許諾を含むコンテンツの属性情報を入力して記録手段に登録し、コンテンツの特徴量を算出して記録手段に登録することで、記録手段に、コンテンツの登録者の情報、属性情報および特徴量を記録する。そして、記録手段に記録される情報を表示したり、記録手段に記録される情報を参照して、コンテンツを検索し検索結果を表示する。コンテンツの内容についての詳細な情報が公開されることで、所望のコンテンツを探し出すことが簡単にできるようになる。そして、使用許諾の情報が公開されることで、緩やかな著作権管理の下で個人コンテンツを管理するのに適したシステムを構築できるようになる。そして、コンテンツと創作権とのバインディングが可能になることで著作権侵害を防ぐことができるようになる。【選択図】図２
2005135146.tif 000002
【特許請求の範囲】
【請求項１】
コンテンツの使用許諾を含む情報を公開するコンテンツ情報公開サーバであって、
コンテンツに関する情報について記録する記録手段と、
コンテンツの登録者の情報を入力して、前記記録手段に登録するユーザ登録手段と、
使用許諾を含むコンテンツの属性情報を入力して、前記記録手段に登録する属性情報登録手段と、
コンテンツの特徴量を算出し、前記記録手段に登録できるものについてはそれを登録する特徴量算出手段と、
前記記録手段に記録される情報を参照して、コンテンツの登録者の情報、属性情報および特徴量のうち少なくともいずれか一つを用いてコンテンツを検索する検索手段と、
前記記録手段に記録される情報あるいは前記検索結果を表示する表示手段とを備えることを、
特徴とするコンテンツ情報公開サーバ。
【請求項２】
請求項１に記載のコンテンツ情報公開サーバにおいて、
前記属性情報登録手段は、コンテンツの使用許諾として、著作者表示、２次的著作物禁止、非営利目的利用、２次的著作物の同一条件許諾、利益還元のうち、少なくともいずれか一つの許諾を登録できることを、
特徴とするコンテンツ情報公開サーバ。
【請求項３】
請求項１または２に記載のコンテンツ情報公開サーバにおいて、
前記特徴量算出手段は、コンテンツの特徴量を算出する手段として、ハッシュ値を算出するハッシュ値算出手段、電子透かしを埋め込む電子透かし埋め込み手段、コンテンツにオーディオ情報がある場合に、そのオーディオ情報から音楽を自動検出する音楽検出手段のうち、少なくともいずれか一つを含むことを、
特徴とするコンテンツ情報公開サーバ。
【請求項４】
請求項３に記載のコンテンツ情報公開サーバにおいて、
前記音楽検出手段は、オーディオ情報の周波数スペクトルのピークが周波数方向に安定して持続することを利用して音楽を検出することを、
特徴とするコンテンツ情報公開サーバ。
【請求項５】
コンテンツの使用許諾を含む情報を公開するコンテンツ情報公開サーバで実行されるコンテンツ利用支援方法であって、
コンテンツの登録者の情報を入力して、コンテンツに関する情報について記録する記録手段に登録する過程と、
使用許諾を含むコンテンツの属性情報を入力して、前記記録手段に登録する過程と、
コンテンツの特徴量を算出し、前記記録手段に登録できるものについてはそれを登録する過程と、
前記記録手段に記録される情報を参照して、コンテンツの登録者の情報、属性情報および特徴量のうち少なくともいずれか一つを用いてコンテンツを検索する過程と、
前記記録手段に記録される情報あるいは前記検索結果を表示する過程とを備えることを、
特徴とするコンテンツ利用支援方法。
【請求項６】
請求項５に記載のコンテンツ利用支援方法において、
前記属性情報を登録する過程では、コンテンツの使用許諾として、著作者表示、２次的著作物禁止、非営利目的利用、２次的著作物の同一条件許諾、利益還元のうち、少なくともいずれか一つの許諾を登録できることを、
特徴とするコンテンツ利用支援方法。
【請求項７】
請求項５または６に記載のコンテンツ利用支援方法において、
前記特徴量を算出する過程では、コンテンツの特徴量を算出する過程として、ハッシュ値を算出する過程、電子透かしを埋め込む過程、コンテンツにオーディオ情報がある場合に、そのオーディオ情報から音楽を自動検出する過程のうち、少なくともいずれか一つの過程を実行することを、
特徴とするコンテンツ利用支援方法。
【請求項８】
請求項７に記載のコンテンツ利用支援方法において、
前記音楽を自動検出する過程では、オーディオ情報の周波数スペクトルのピークが周波数方向に安定して持続することを利用して音楽を検出することを、
特徴とするコンテンツ利用支援方法。
【請求項９】
請求項５ないし８のいずれか１項に記載のコンテンツ利用支援方法の実現に用いられる処理をコンピュータに実行させるためのコンテンツ利用支援プログラム。
【請求項１０】
請求項５ないし８のいずれか１項に記載のコンテンツ利用支援方法の実現に用いられる処理をコンピュータに実行させるためのコンテンツ利用支援プログラムを記録した記録媒体。
【発明の詳細な説明】
【技術分野】
【０００１】
本発明は、ネットワーク上のコンテンツの検索と公開を容易にすることを実現するコンテンツ情報公開サーバと、そのコンテンツ情報公開サーバで実行されて、ネットワーク上のコンテンツの検索と公開を容易にすることを実現するコンテンツ利用支援方法と、そのコンテンツ利用支援方法の実現に用いられるコンテンツ利用支援プログラムおよびそのプログラムを記録した記録媒体とに関する。
【背景技術】
【０００２】
コンテンツに関する情報を検索できるようにする技術については、従来から様々なものが提案されている。例えば代表的な検索サイトであるＧoogle(http://www.google.com)は、コンテンツに付随するテキスト情報を基に検索したり、静止画を検索して表示したりすることが可能である。
【０００３】
このような検索サイトは、検索ロボットを用いてインターネット上に存在するコンテンツを定期的に取得することから、コンテンツを登録する必要がないことが特徴となっている。
【０００４】
一般に公開されている検索サイト以外には、コンテンツホルダ、コンテンツ小売業者、コンテンツ流通業者を対象としたビジネス向けのコンテンツ管理システムが存在する。
【０００５】
このようなビジネス向けのコンテンツ管理システムとして構築された権利流通プラットフォームは、コンテンツＩＤを個々のコンテンツに付与し、ＤＲＭ(Digital Rights Management) を用いてコンテンツの権利を保護することによって、コンテンツを統合的に管理することができるシステムである（例えば、非特許文献１参照）。
【０００６】
権利流通プラットフォームはコンテンツの権利を保護する機能を備えているが、逆に、コンテンツを自由に使うための創作権の表記に着目したシステムが存在する。
【０００７】
このようなシステムとして構築されたＣommon Ｃontent（http://www.commoncontent.org）は、コンテンツの属性情報を登録し、その情報を基にコンテンツの検索が可能なシステムを提供しており、Ｃreative Ｃommons（http://creativecommons.org）の創作権表記を利用して、使用許諾を属性情報の一部として登録することが可能となっている。このような創作権の表記は、コンテンツの使用許諾が明記されているため、消費者が安心してコンテンツを使用することができ、コンテンツの２次利用を促進することができるものとして着目されている。
【非特許文献１】ＮＴＴ技術ジャーナル  Vol.14, No.10, 2002
【発明の開示】
【発明が解決しようとする課題】
【０００８】
Ｇoogle に代表されるような一般的な検索サイトは、検索対象が豊富であるため様々なコンテンツを入手することが可能であるものの、例えば画像コンテンツの検索の場合には、検索キーをファイル名にしなければならないなど、コンテンツの内容についての詳細な情報が登録されていないことから、所望のコンテンツを探し出すことが難しいという問題がある。
【０００９】
また、権利流通プラットフォームは、コンテンツを著作権侵害から保護しようという観点に立っているものであり、ＤＲＭ技術を用いて不正コピーなどを防止する仕組みとなっているものの、コンテンツを入手する際には煩雑な操作が必要となり、特に個人コンテンツの管理などには不向きである。
【００１０】
また、コンテンツを自由に使うための創作権表記を備えたシステムは、コンテンツの２次利用を促進し、クリエータの創造性を喚起する効果があり、緩やかな著作権管理の下で個人コンテンツを管理するのに適している。
【００１１】
しかしながら、このシステムはＤＲＭなどの仕組みを持たないので、コンテンツと創作権とのバインディングが困難であり、現状ではウェブサイト上でアイコンなどを用いて創作権を表記しているに過ぎず、掲載されている写真などのコンテンツの管理については不十分である。これから、例えば、いつの間にか置き換えられたりしていても、コンテンツと創作権とのバインディングが困難であることから、置き換えられる前に別のコンテンツがある創作権表記で公開されていたことを証明する手段がない。
【００１２】
これは、置き換えられる前のコンテンツが自由に使用できるという条件で公開されていたときに、そのコンテンツを使用した人が、いつの間にか使用できなくなっているという状況になったり、他人のコンテンツを別の使用条件で公開してしまったり、といった問題に発展する可能性を持っている。
【００１３】
また、個人コンテンツを扱う場合、音楽の不正利用の問題がある。特に映像の場合では、ＢＧＭとして著作権が存在するものを何気なく使用してしまったり、撮影現場でたまたま音楽が流れていたため、映像に収録されてしまったことに気づかず、そのまま公開して著作権侵害となってしまったりするということがある。このような問題を防ぐために、公開するコンテンツに音楽が含まれている場合には、システム側が注意を促すことが必要である。
【００１４】
本発明は、このような背景の下に、ネットワーク上のコンテンツの検索と公開を容易にすることを実現する新たなコンテンツ情報公開サーバを構築することで、
（１）コンテンツの内容についての詳細な情報が登録されていないことで、所望のコンテンツを探し出すことが難しいという、一般的な検索サイトの持つ問題を解決し、
（２）ＤＲＭ技術を用いて不正コピーなどを防止する仕組みとなっているものの、そのために、コンテンツを入手する際には煩雑な操作が必要となり、特に個人コンテンツの管理などには不向きであるという、権利流通プラットフォームの持つ問題を解決し、
（３）ＤＲＭなどの仕組みを持たないことで、コンテンツと創作権とのバインディングが困難であるという、コンテンツを自由に使うための創作権表記を備えたシステムの持つ問題を解決し、
（４）個人コンテンツを扱う場合などに起こる音楽の不正利用の問題を解決する、
ことを目的とする。
【課題を解決するための手段】
【００１５】
この目的を達成するために、本発明のコンテンツ情報公開サーバは、（イ）コンテンツに関する情報について記録する記録手段と、（ロ）コンテンツの登録者の情報を入力して、記録手段に登録するユーザ登録手段と、（ハ）使用許諾を含むコンテンツの属性情報を入力して、記録手段に登録する属性情報登録手段と、（ニ）コンテンツの特徴量を算出し、記録手段に登録できるものについてはそれを登録する特徴量算出手段と、（ホ）記録手段に記録される情報を参照して、コンテンツの登録者の情報、属性情報および特徴量のうち少なくともいずれか一つを用いてコンテンツを検索する検索手段と、（ヘ）記録手段に記録される情報あるいは検索手段の検索結果を表示する表示手段とを備えるように構成する。
【００１６】
この構成を採るときに、属性情報登録手段は、コンテンツの使用許諾として、著作者表示、２次的著作物禁止、非営利目的利用、２次的著作物の同一条件許諾、利益還元のうち、少なくともいずれか一つの許諾を登録できることがある。
【００１７】
また、特徴量算出手段は、コンテンツの特徴量を算出する手段として、ハッシュ値を算出するハッシュ値算出手段、電子透かしを埋め込む電子透かし埋め込み手段、コンテンツにオーディオ情報がある場合に、そのオーディオ情報から音楽を自動検出する音楽検出手段のうち、少なくともいずれか一つを含むことがあり、その音楽検出手段は、オーディオ情報の周波数スペクトルのピークが周波数方向に安定して持続することを利用して音楽を検出することがある。
【００１８】
以上に説明したユーザ登録手段／属性情報登録手段／特徴量算出手段／検索手段／表示手段が動作することで実行される本発明のコンテンツ利用支援方法はコンピュータプログラムで実現できるものであり、このコンピュータプログラムは、半導体メモリなどのような適当な記録媒体に記録して提供されたり、ネットワークを介して提供され、本発明を実施する際にインストールされてＣＰＵなどの制御手段上で動作することにより本発明を実現することになる。
【００１９】
このように構成される本発明のコンテンツ情報公開サーバでは、コンテンツの登録者の情報を入力して記録手段に登録し、使用許諾を含むコンテンツの属性情報を入力して記録手段に登録し、コンテンツの特徴量を算出して記録手段に登録することで、記録手段に、コンテンツの登録者の情報、属性情報および特徴量を記録する。
【００２０】
そして、この記録手段に記録される情報を表示したり、この記録手段に記録される情報を参照して、コンテンツの登録者の情報、属性情報および特徴量のうち少なくともいずれか一つを用いてコンテンツを検索し、その検索結果を表示するように処理する。
【発明の効果】
【００２１】
（１）本発明によれば、コンテンツの登録者の情報を記録手段に登録し、使用許諾を含むコンテンツの属性情報を記録手段に登録し、コンテンツの特徴量を記録手段に登録することで、記録手段に、コンテンツの登録者の情報、属性情報および特徴量を記録することができ、これにより、使用許諾を含むコンテンツに関する情報を公開できるようになるとともに、コンテンツの登録者の情報やコンテンツの属性情報やコンテンツの特徴量を用いてコンテンツを検索できるようになる。
【００２２】
（２）本発明によれば、コンテンツの使用許諾として、著作者表示、２次的著作物禁止、非営利目的利用、２次的著作物の同一条件許諾、利益還元のうち、少なくともいずれか一つの許諾を登録することができ、これにより、コンテンツの自由な使用を促進する緩やかな著作権管理ができるようになるとともに創作権の表記が可能となる。
【００２３】
（３）本発明によれば、コンテンツの特徴量として、ハッシュ値を算出し、電子透かしを埋め込むことで、コンテンツと創作権とのバインディングが可能になって著作権侵害を防ぐことができるようになり、さらに、コンテンツにオーディオ情報がある場合に、そのオーディオ情報から音楽を自動検出することにより、著作権の存在する音楽の使用による著作権侵害を防ぐことができるようになる。
【００２４】
（４）本発明によれば、音楽の自動検出には、オーディオ情報の周波数スペクトルのピークが周波数方向に安定して持続することを利用するので、安定して音楽を検出することができるようになる。
【発明を実施するための最良の形態】
【００２５】
以下、実施の形態に従って本発明を詳細に説明する。
【００２６】
図１に、本発明のコンテンツ情報公開サーバ１が設置されるシステムの全体構成を図示する。
【００２７】
この図に示すように、本発明のコンテンツ情報公開サーバ１は、ネットワーク３を介して、クリエータやユーザの操作する端末２と接続される形で設置されることになる。
【００２８】
図２に、本発明のコンテンツ情報公開サーバ１の一実施形態例を図示する。
【００２９】
本実施形態例のコンテンツ情報公開サーバ１は、コンテンツの登録者の情報を登録するユーザ登録手段１０１と、使用許諾を含むコンテンツの属性情報を登録する属性情報登録手段１０２と、コンテンツの特徴量を算出する特徴量算出手段１０３と、コンテンツの登録者の情報、属性情報および特徴量を記録する記録手段１０４と、コンテンツの登録者の情報、属性情報および特徴量のうち少なくともいずれか一つを用いてコンテンツを検索する検索手段１０５と、記録手段１０４に記録される情報を表示したり、検索手段１０５の検索結果を表示する表示手段１０６とによって構成されている。
【００３０】
図３に、本実施形態例のコンテンツ情報公開サーバ１における処理の流れを示したフローチャートを図示する。
【００３１】
次に、このフローチャートに従って、本実施形態例のコンテンツ情報公開サーバ１における処理について詳細に説明する。
【００３２】
まず、クリエータはコンテンツ情報を登録する前に、ユーザ登録を行う。ユーザ登録判断処理２０１によってユーザ登録がなされていないと判断された場合には、ユーザ登録処理２０２によって、クリエータの情報を登録する。登録する情報としては、ユーザ名、国、プロフィール、連絡先などがある。
【００３３】
続いて、属性情報登録処理２０３によって、コンテンツに関する情報を登録する。登録する情報としては、コンテンツＩＤ、コンテンツの場所（ＵＲＬ）、タイトル、ジャンル、フォーマット、概要、使用許諾などがある。
【００３４】
コンテンツＩＤについては、自動生成することも可能である。コンテンツＩＤの体系には、コンテンツＩＤフォーラム（http://www.cidf.org)などの体系を利用することができる。また、使用許諾に関しては、著作者表示、２次的著作物禁止、非営利目的利用、２次的著作物の同一条件許諾、利益還元のうち、少なくともいずれか一つを登録する。
【００３５】
ここで、著作者表示とは、コンテンツを２次利用する際に、必ず著作者の名前を表示する義務のあることを示すために用意される。また、２次的著作物禁止とは、コンテンツの改変を禁止することを示すために用意される。また、非営利目的利用とは、営利目的でのコンテンツの使用を禁止することを示すために用意される。また、２次的著作物の同一条件許諾とは、派生コンテンツに対して、オリジナルのコンテンツと同様の使用許諾を付与する義務のあることを示すために用意される。また、利益還元とは、コンテンツの２次利用によってもたらされた利益については、著作者に何らかの形で利益を還元する義務のあることを示すために用意される。
【００３６】
これらの使用許諾表現については、例えばデジタルコンテンツの創作権を付与するＣreative Ｃommons（http://creativecommons.org）を利用することが可能である。Ｃreative Ｃommonsでは、デジタルコンテンツの帰属・属性、営利目的での使用、複製、配布、展示、演奏、派生作品に対する権利の継承義務といった条件を表現することが可能となっている。また、文化庁の自由利用マーク（http://www.bunka.go.jp/jiyuriyo)や、林紘一郎氏の提案するｄマーク（http://www.glocom.ac.jp/users/hayashi/991018.pdf）などの枠組みも利用することができる。
【００３７】
続いて、特徴量算出処理において、ハッシュ値算出処理２０４によってコンテンツのハッシュ値が算出され、登録される。ハッシュ値の算出には、ＳＨＡ−１やＭＤ５といったハッシュ関数を利用することができる。
【００３８】
コンテンツが画像の場合には、電子透かしを埋め込む。画像データ判断処理２０５によってコンテンツが画像かどうか判断され、画像である場合には、電子透かし埋め込み処理２０６によって電子透かしを埋め込む。埋め込む情報としては、自動生成されたコンテンツＩＤなどがある。
【００３９】
さらに、オーディオ情報判断処理２０７によってコンテンツにオーディオ情報が含まれるかどうかを判断し、オーディオ情報が含まれている場合には、音楽検出処理２０８によってオーディオ情報に音楽が含まれるかどうかを検出する。
【００４０】
音楽が含まれる場合には、クリエータにその旨を通達し、著作権侵害がないかどうかの確認を促す。また、音楽検出処理２０８では、オーディオ情報を周波数解析した際、音楽が含まれる部分には、周波数方向に安定したスペクトルのピークが持続するという特徴量を利用した方法を用いることができる。
【００４１】
この特徴量算出処理で算出される情報については、クリエータが任意に算出するか否かを選択できるようになっている。
【００４２】
このようにして登録された情報は、記録処理２０９によって記録手段１０４に記録されることでデータベースの形式で保存されることになる。
【００４３】
これから、ユーザは、検索手段１０５によって、登録された情報を基にコンテンツを検索することが可能であり、その検索結果は表示手段１０６によって表示される。
【００４４】
この検索結果には、コンテンツの場所を示すＵＲＬと使用許諾とを表示することができ、ユーザは、それに基づいて、ハイパーリンクによって、ネットワーク上のコンテンツにアクセスすることが可能である。
【００４５】
このようにして、本発明のコンテンツ情報公開サーバ１が用意されることで、コンテンツの内容についての詳細な情報が公開されることになり、ユーザは所望のコンテンツを簡単に探し出すことができるようになる。
【００４６】
そして、本発明のコンテンツ情報公開サーバ１が用意されることで、著作者表示、２次的著作物禁止、非営利目的利用、２次的著作物の同一条件許諾、利益還元といった使用許諾の情報が公開されることで、コンテンツの２次利用を促進し、クリエータの創造性を喚起し、緩やかな著作権管理の下で個人コンテンツを管理するのに適したシステムを構築できるようになる。
【００４７】
そして、本発明のコンテンツ情報公開サーバ１が用意されることで、緩やかな著作権管理の下で個人コンテンツを管理するのに適したシステムを構築する場合にあって、コンテンツと創作権とのバインディングが可能になることで著作権侵害を防止することができるようになる。
【００４８】
そして、本発明のコンテンツ情報公開サーバ１が用意されることで、コンテンツにオーディオ情報がある場合に、そのオーディオ情報から音楽を自動検出することにより、著作権の存在する音楽の使用による著作権侵害を防止することができるようになる。
【図面の簡単な説明】
【００４９】
【図１】本発明のコンテンツ情報公開サーバの設置されるシステムの説明図である。
【図２】本発明のコンテンツ情報公開サーバの一実施形態例である。
【図３】本発明のコンテンツ情報公開サーバにおける処理の流れを示すフローチャートである。
【符号の説明】
【００５０】
１      コンテンツ情報公開サーバ
２      端末
３      ネットワーク
１０１  ユーザ登録手段
１０２  属性情報登録手段
１０３  特徴量算出手段
１０４  記録手段
１０５  検索手段
１０６  表示手段
【図１】
2005135146.tif 000003
【図２】
2005135146.tif 000004
【図３】
2005135146.tif 000005